(57)【要約】【課題】  線条体（ワイヤー４）に対して装飾物２を取り付けるための取付け具１であって、装飾物２が傾斜したりせず、また、線条体に対する位置調節も簡単な取付け具１とこれを利用した新たな装飾感覚の装飾装置５を提供する。【解決手段】  取付け具１は、ガイド管６と線条体グリップ７を一体とした構造であり、ガイド管６の一端に線条体グリップ７を取り付け、他端に栓体８を取り付ける。ガイド管６と線条体グリップ７に挿通させた線条体を栓体８の貫通孔１１箇所と線条体グリップ７の掴持箇所の２箇所で支持し、線条体に取り付けた装飾物２の姿勢を維持する。また、取付け具１を利用して装飾物２を線条体に取り付け、その線条体を上下のレール２９，３０間に張設して新たな感覚の装飾装置とする。【選択図】図５
2017217876.tif 000002
【特許請求の範囲】
【請求項１】
ガイド管と線条体グリップおよび栓体を備えた取付け具であって、
ガイド管は線条体挿通孔を軸方向に貫通させてあり、
線条体グリップは線条体挿通孔が貫通しているとともに、線条体をグリップするための掴持機構とグリップ状態を解放する操作部とを備え、
栓体は線条体の直径にほぼ等しい径の貫通孔を有し、
ガイド管の一端に線条体グリップの線条体挿通孔とガイド管の線条体挿通孔とを連通させて線条体グリップをガイド管の軸方向に沿って固定し、ガイド管の他端に前記栓体を固定してある
ことを特徴とした取付け具。
【請求項２】
ガイド管の線条体挿通孔は、線条体グリップとの接続箇所において栓体側へ拡開した逆円錐状凹部とされ、凹部の最深部に線条体貫通孔が設けられていることを特徴とした請求項１に記載の取付け具。
【請求項３】
ガイド管の線条体挿通孔において、線条体グリップとの接続箇所に、栓体側へ拡開した逆円錐状凹部と凹部の最深部に線条体貫通孔を設けたガイド駒が配置されていることを特徴とした請求項１に記載の取付け具。
【請求項４】
ランナー付きの上レールとランナー付きの下レール、容器形装飾物及び線条体を備え、
容器形装飾物は、容器と取付け具および容器に配置される装飾用物品とからなり、
取付け具は、ガイド管と線条体グリップおよび栓体を備え、
ガイド管は軸方向に線条体挿通孔を貫通させてあり、
線条体グリップは線条体挿通孔が貫通しているとともに、線条体をグリップするための掴持機構とグリップ状態を解放する操作部とを備え
栓体は線条体の直径にほぼ等しい径の貫通孔を有し、
ガイド管の一端に線条体グリップの線条体挿通孔とガイド管の線条体挿通孔とを連通させて線条体グリップをガイド管の軸方向に沿って固定し、ガイド管の他端を栓体で封鎖した構造であり、
線条体グリップは、線条体をグリップした状態を解放するための操作部を備え
容器に取付け具が固定され、取付け具のガイド管と線条体グリップとに線条体を挿通して容器形装飾物を線条体に取り付け、
線条体の上端を上レールのランナーに取り付け、線条体の下端を下レールのランナーに取り付けて上レールと下レール間で線条体を張設してある、
ことを特徴とした装飾装置。
【請求項５】
請求項４に記載の装飾装置であって、取付け具のガイド管と線条体グリップはガイド管の雌ねじに線条体グリップの雄ねじをねじ込むことによりガイド管の軸方向へ一体とされる構造であり、
前記容器に取付け具の装着孔を設け、容器の内側に配置したガイド管の雌ねじ部へ操作部を容器の外側に配置した線条体グリップの雄ねじ部を、前記装着孔を介してねじ込むことにより、取付け具を容器に固定してあることを特徴とした装飾装置。
【請求項６】
容器形の装飾物の容器が開口側を下方として線条体に取り付けられていることを特徴とした請求項４に記載の装飾装置。
【請求項７】
１本の線条体に複数個の容器形装飾物が取り付けられていることを特徴とした請求項４に記載の装飾装置。
【発明の詳細な説明】
【技術分野】
【０００１】
本発明は、ワイヤーのような線条体を利用した装飾装置に関する。
【背景技術】
【０００２】
インテリア、エクステリアおよびショウウインドウの装飾に細いワイヤーやケーブル、ひも、針金などの線条体に種々の装飾物を取り付けた構造の装飾装置が使用されている。
特許文献１の照明装置（装飾装置）は、天井５０のユニットボックス５から吊り下げたワイヤーの下端に発光パネル３（有機EL）を取り付けている。
【０００３】
特許文献２の棚受用支持装置は、インテリア構造体としてのものであって、壁面に固定した上下のブラケット１，２間に湾曲させた支杆３を取り付け、これを利用してワイヤ７，８を平行に張設し、これらワイヤ７，８に棚板１１の両端を取り付けている。ワイヤ７，８に対して棚板はグリップを備えた受け部材１２，１３を介して取り付けられて、上下位置の調節が可能となっている。このようなインテリア構造体も装飾装置の一つであり、棚板そのものが装飾物であったり、その上に陳列する商品が装飾物であったりする。
【０００４】
なお、ワイヤーを利用して棚板を支持し、その上下位置を調整可能としたものは、特許文献３，４，５にも記載されている。そして、特許文献５では、ワイヤ１３間に取り付けられた照明器具１５の上下位置の調整が可能とされている。
特許文献６，７は、上下に張設されたワイヤーにフック付きの位置調整部材を取り付け、フックに装飾物を取り付けて装飾装置とするものである。ワイヤーに対する位置調整を可能とするためにワイヤーグリップの機構が利用されている。
【０００５】
このように、従来のワイヤーを利用した装飾装置は、装飾物を線条体で吊り下げるか、張設した線条体に装飾物のための棚板やフックを上下位置調節可能に配置したものである。
このため、線条体で吊り下げたものは装飾物が揺れたりする。また、装飾物の上下位置や左右の配置間隔などを調節するのに線条体の長さを変えたり、左右の配置に関して線条体を取り付けなおしたりする面倒な操作が必要なので、装飾物の配置を簡単に変えることができない。
【０００６】
一方、張設した線条体に棚板を取り付けたものは、ワイヤーグリップなどを利用してこれらの上下位置調節を比較的簡単に行なえるが、装飾物そのものの位置を線条体に対して直接に調節するものではないから、棚板を含めて装飾効果を考慮しなければならなかった。さらに、フックを利用するものは、装飾物を１点で支持するので、１本の線条体では装飾物の姿勢（傾き、回転）を維持することができない。
【０００７】
また、従来のこの種装飾装置の装飾物はLEDや照明器具あるいは商品などであり、線条体を利用する装飾装置の装飾物として、装飾のための物品を収容したり、植栽が可能であったり、あるいは液体を入れることができる容器形のものは見いだせない。
【先行技術文献】
【特許文献】
【０００８】
【特許文献１】特開２０１０−１８２５１６号公報
【特許文献２】特開平１０−２３４５３４号公報
【特許文献３】実開平６−４４４３５号公報
【特許文献４】特開平８−１６８４１６公報
【特許文献５】特開２００６−１３６５７４公報
【特許文献６】特開２００３−２２５１５４号公報
【特許文献７】特開２００４−２０２２２４号公報
【発明の概要】
【発明が解決しようとする課題】
【０００９】
線条体に装飾物を取り付けるための取付け具であって、線条体に対して装飾物の上下位置を調節できるとともに、装飾物の姿勢を維持しやすい取付け具の提供。
前記取付け具を利用して装飾物を線条体に取付け、その線条体を張設して構成した装飾装置の提供。装飾物を容器形とした新たな装飾感覚の装飾装置の提供。また、この時、線条体に対して装飾物は傾斜したりせず、線条体に対する位置調節も簡単なものとする。
【課題を解決するための手段】
【００１０】
ガイド管と線条体グリップおよび栓体を備えた取付け具とする。
ガイド管は軸方向に線条体挿通孔を貫通させたものであり、アクリル製の細管などを利用できる。
線条体グリップは貫通した線条体挿通孔を有するとともに、線条体をグリップするための掴持機構とグリップ状態を解放するための操作部とを備える。線条体はワイヤー、ケーブル、ひも、針金、樹脂線材などである。なお、線条体グリップは線条体がワイヤーである場合はワイヤーグリップである。
【００１１】
栓体は線条体の直径にほぼ等しい径の貫通孔を有する。直径にほぼ等しい径とは、線条体を貫通させて支障なく移動させることができるが、貫通孔とのクリアランスがほとんどなく、貫通孔内で線条体が径方向に移動しない程度の径を意味する。
そして、ガイド管の一端に線条体グリップをその線条体挿通孔とガイド管の線条体挿通孔とを連通させてガイド管の軸方向に沿って固定し、また、ガイド管の他端に前記の栓体を固定して取付け具とする。
【００１２】
ガイド管の線条体挿通孔であって、線条体グリップとの接続箇所に栓体側へ拡開した逆円錐凹部と凹部の最深部に線条体貫通孔を設けたガイド駒を配置して、取付け具に線条体を挿通しやすくすることがある。
また、取付け具を利用して装飾物を線条体に取り付けて装飾装置を構成することがある。装飾物に取付け具を採用するための構造は種々考えられる。
【００１３】
一例を取り上げると、いわゆるカーテンレールと同様な構造のランナー付きの上レールとランナー付きの下レール間にワイヤーなどの線条体を張設し、線条体に容器形の装飾物（容器形装飾物）を線条体グリップによって取り付けた装飾装置を構成できる。
この場合、線条体の両端を固定して緊張させると（張設すると）、張力によって線条体が屈曲しにくくなるので、装飾物が傾斜したりすることはなく、また、上下端がランナーに固定されているので、ランナーを介して線条体の左右配置や間隔の調節あるいは本数の選択が簡単である。
【００１４】
前記の容器形装飾物は、容器と取付け具および容器に配置される装飾用の物品とで構成する。
容器とは装飾用の物品を収容できる空間を備えたものを意味し、培養土を入れて園芸用の植物を植栽したり、水を入れて切花を挿したり、あるいは内部に種々な装飾用の物品や照明器具を配置したりする。
【００１５】
容器と取付け具とは、通常、ガイド管の一端を容器の底部に固定し、他端は容器の開口側に配置し、取付け具に挿通させ容器を貫通させた線条体の両端部を上レールのランナーと下レールのランナーとにそれぞれ固定する。
ガイド管は容器の底部から開口側へ一定の長さを有するので、容器形の装飾物は線条体の張設方向に沿って一定の姿勢に維持される。
【００１６】
また、線条体グリップの操作部を操作して容器形の装飾物の位置を線条体に対して簡単に調節することができる。
装飾物の容器は開口側を下方として線条体に取り付けることがある。
１本の線条体に複数個の容器形装飾物を取り付けて装飾の態様を変えることがある。
【発明の効果】
【００１７】
本発明の取付け具は、一定の長さを備えたガイド管の一端（線条体グリップの掴持箇所）と他端（栓体を貫通する箇所）の２箇所で線条体を係合するため、この取付け具を利用して線条体へ取り付ける装飾物が傾斜したりしない。また、線条体に対する上下位置の調節が簡単である。
本発明の取付け具は容器形の装飾物を取り付けやすい。そして、装飾物が容器を備えたものであるため、容器の空間に種々の装飾用物品を配置して従来の装飾装置にはない斬新な装飾効果を達成できる。
取付け具に挿通した線条体の両端を上レールのランナーと下レールのランナーに取り付けた装飾装置では、線条体に取り付けた装飾物の左右間隔の調節や装飾物を取り付けた線条体の数の増減が簡単である。
【図面の簡単な説明】
【００１８】
【図１】取付け具の正面図。
【図２】取付け具の縦断面図（ハッチングを省略している）。
【図３】取付け具を分解して示す斜視図。
【図４】線条体グリップ（ワイヤーグリップ）の機構を示した断面図であり、（イ）は線条体を掴持している状態、（ロ）は解放している状態。
【図５】容器形装飾物における容器と線条体（ワイヤー）を示した断面図（ハッチングを省略している）（使用例１）。
【００１９】
【図６】〔イ〕は正面図、〔ロ〕は平面図（使用例２）。
【図７】〔イ〕は断面で示す正面図（使用例３）、〔ロ〕は同（使用例４）。
【図８】〔イ〕は断面で示す正面図（使用例５）、〔ロ〕は同（使用例６）。
【図９】〔イ〕は背面図、〔ロ〕は平面図（使用例７）。
【図１０】装飾物の斜視図（装飾物の例１）（一部を透視して示している）。
【００２０】
【図１１】全体構造を示した装飾装置の正面図（装飾装置の例１）。
【図１２】フック付きばねの概略を示した図であり、（イ）は外観、（ロ）はワイヤーを挿通させた状態での断面図。
【図１３】〔イ〕は、装飾物を機構的に示した図（装飾物の例２）、〔ロ〕はその外観を示した正面図。
【図１４】装飾物を断面で示した正面図（装飾物の例３）（ハッチングを省略している）。
【図１５】全体構造を示した装飾装置の正面図（装飾装置の例２）。
【発明を実施するための形態】
【００２１】
〔実施例〕
図１〜図４は、本発明による取付け具１を示したものである。この取付け具１は、例えば、図５に示すような容器形装飾物２の容器３に取付けられる。容器形装飾物２はワイヤー４（線条体）に取付けられ、ワイヤー４を張設して装飾装置５（図９）を構成する。
取付け具１（図１）は、基本的にガイド管６、ワイヤーグリップ７及び栓体８を備える。
【００２２】
ガイド管６（図２）はこの実施例において、透明なアクリル製の直管であり、内部の軸方向に貫通した空間がワイヤー挿通孔（線条体挿通孔）９となっている。ワイヤー挿通孔９は下部の内周面が雌ねじ部１０に形成されている（図３）。ガイド管６の高さ（長さ）は、前記容器３の深さ程度とするのが好ましい。
【００２３】
栓体８はワイヤー貫通孔１１を有する。ワイヤー貫通孔１１の直径はワイヤー４の直径にほぼ等しい。
ワイヤーグリップ７は図４に示すように、筒状の本体部１２とその内部に収められたグリップ機構１３を備え、ワイヤー４がこれらを軸方向に貫通する。
【００２４】
本体部１２の上部は雄ねじ部１４とされている。グリップ機構１３はくさび１５、鋼球１６及びスプリング１７を利用してワイヤー４を掴持したり解放したりできる周知な構造である。図１〜図４において符号１８は操作部であり、図４（ロ）のように、下方へ引くことによりワイヤー４の掴持を開放することができる。
【００２５】
取付け具１は、ガイド管６の上端に栓体８を固着し、下部の雌ねじ部１０にワイヤーグリップ７の雄ねじ部１４をねじ込んで一体に組み付けることで完成する。
なお、この実施例ではガイド管６の内部（ワイヤー挿通孔９）であって下端部に、上方へ広がる逆円錐状凹部１９を有するガイド駒２０が逆円錐状凹部１９を上方として装填されている。
【００２６】
〔使用例〕
このように構成した取付け具１は、図５（使用例１）のように容器３の内部に取付けて容器形装飾物２を構成したり、図６（使用例２）のように、テープやひもあるいは適宜な取り付け部材２１を用いて容器３の外部に取付けて容器形装飾物２を構成したりする。
【００２７】
図５のように、取付け具１を容器３の内部に取付けるときは、容器３の底部２２にワイヤーグリップ７の雄ねじ部１４が挿通する程度に貫通した装着孔２３を形成しておき、容器３の下方から装着孔２３に差し込んだ雄ねじ部１４へ上方からガイド管６下部の雌ねじ１０をねじ込み容器３の底部２２を挟みつけるようにして固定する。このとき実施例１のようにガイド管６とワイヤーグリップ７との間、あるいはこれらと容器３との間にブッシュ２４を介在させると固定状態が安定する。また、容器３に液体を入れたりする場合に水漏れの防止に役立つ。
【００２８】
なお、図７（イ）、同（ロ）及び図８（イ）、同（ロ）は、使用例３〜使用例６であり、使用例３では容器３が直径よりも高さが高く、使用例４では取付け具１が容器３の中心部ではなく、偏った位置にある。また、使用例５では、左右寸法が高さよりも極端に大きな容器３の場合であり、内側に２本の取付け具１を利用している。使用例６は、その容器３に対して２本の取付け具１を容器３の外側に接着してある。
【００２９】
図９は、使用例７を示したものであり、装飾物がパネル形であるパネル装飾物２５の一つである。使用例７でのパネル形装飾物２５は、薄型のパネル形装飾物２５（液晶テレビ）の背面両側に取付け具１を使用したものである。取り付けは接着など専用の固着手段を用いている。パネル形装飾物２５としては他に写真パネルや絵画パネルなどがある。
【００３０】
〔装飾物、装飾装置の例１〕
図１０、図１１は、特に容器形装飾物２に取付け具１を使用し、装飾装置５として展開したものである。
容器３は、開口２６と底部２２を備えた透明なアクリル製の有底円筒形であり、前記のように、底部２２中央に設けた装着孔２３を利用して、内側空間の中央に取付け具１が固定されている。固定箇所にはブッシュ２４（図３）が使用されている。
なお、取付け具１はガイド管６に前記のガイド駒２０（図３）を有している。
【００３１】
ワイヤー４は、取付け具１に上方から差し込み、ワイヤーグリップ７まで貫通させてある。このとき、栓体８のワイヤー貫通孔１１を通過したワイヤー４の先端はガイド管６のワイヤー挿通孔９を下降し、やがて、ガイド駒２０に衝突してその逆円錐状凹部１９をワイヤーグリップ７のワイヤー挿通孔へ誘導される。これによりワイヤー４に巻き癖がついていても、その先端は簡単にワイヤーグリップ７のワイヤー挿通孔へと進入する。
【００３２】
図１０の状態で容器形装飾物２は、容器３に培養土２７を入れ、これに園芸植物２８を植え付けてある。つまり、この場合、装飾用物品２８は園芸植物ということになる（装飾物の例１）。
容器形装飾物２は、ワイヤーグリップ７のくさび機構により図１０の状態でワイヤー４に沿って上方への移動が自由であるが、下方への移動は阻止される。したがって、容器形装飾物２に重量があってもワイヤー４を下方へずり落ちることはなく、一方、上方への位置調節が簡単である。
【００３３】
容器形装飾物２をワイヤー４に対して下方へ移動させるときは、ワイヤーグリップ７における操作部１８を下方へ引いて、グリップ機構１３によるワイヤー４の掴持を解除して移動させ、目的の位置で操作部１８から手を離せば、ワイヤー４が掴持され、容器形装飾物２はその位置に維持される。
【００３４】
図１１は、取付け具１を利用してワイヤー４に容器形装飾物２を取り付け、さらに、ワイヤー４を利用した装飾装置５に構成したもの（装飾装置の例１）である。
この装飾装置５は、容器型装飾物２に挿通させたワイヤー４を上レール２９と下レール３０との間に複数本、張設した構造である。
【００３５】
上レール２９と下レール３０は窓際の上枠側（天井）と下枠側（棚板）に固定されており、それぞれが長手方向に溝を備え、これらの溝に複数個のランナー３１を有した、いわゆるカーテンレール型である。ランナー３１はそれぞれのレール２９，３０の溝に嵌め込まれ、上下方向にはレールに係合されて抜け出ることはなく、また、レールに沿って移動できる。
【００３６】
容器形装飾物２の装飾用物品２８は、この例１において容器３に植栽された園芸植物や容器３に生けた切り花である。
線条体としてのワイヤー４は、この例１においてステンレス細線を撚り合わせたφ０．８のもので表面にナイロンコーティングを施してある。ワイヤー４の上端にはフック部材３２をカシメて固着してあり、下端にはフック付きばね３３を取り付けてある。
【００３７】
フック付きばね３３は図１２（イ）、（ロ）に示すように、下部をフック３４としたばね部材であり、内部上方にグリップ機構３５を備える。グリップ機構３５は、前記取付け具１におけるワイヤーグリップ７と類似の構造であって、上方から差し込まれたワイヤー４をくさびを用いて掴持するものであり、ワイヤー４が上方向に抜けるのを阻止する。符号３６は操作部であって、爪をかけて押し込むことにより、内部のくさびが下方へ押し下げられ、ワイヤー４を掴持した状態を解放することができる。
【００３８】
図１３（イ）、同（ロ）は、容器形装飾物２の他の例（装飾物の例２）で容器３の内部に取付け具１が固定され、これにワイヤー４が挿通されているとともに、容器３の内部に音源再生装置３７を収納している。容器３の側壁には多数の孔が形成され、表面に小鳥の写真が転写されている。音源再生装置３７には小鳥のさえずりのデジタル音源と再生アンプとスピーカー及びスイッチング回路を有し、スイッチング回路は無線手段でスマホなどの携帯操作具３８とリンクしている。
【００３９】
したがって、離れた位置から音源を再生して表面に転写されている小鳥のさえずりを再生することができる。このような容器形装飾物２を前記装飾装置の例１のように複数備えた装飾装置５であると、離れた位置に座って、好みの小鳥のさえずりや渓流の音などを自由に選択して聞けるようにすることができる。あるいは、前記装飾装置の例１のような園芸植物を植えた容器形装飾物２の容器３に、前記の音源再生装置３７を忍ばせ、どこからかそれとなくコオロギや鈴虫の音を聴かせたりすることもできる。
【００４０】
装飾装置５（図１１、装飾装置の例１）は、次のように組み付けられる。
容器形装飾物２に挿通したワイヤー４の上部にフック部材３２をかしめ付け、下端をフック付きばね３３のワイヤーグリップ機構３５に貫通させ掴持させる。
フック部材３２を上レール２９のランナー３１の一つに掛け止め、フック付きばね３３を下レール３０のランナー３１に掛け止める。このとき、ワイヤー４は前記フック付きばね３３の弾力により上下レール間に緩みなく張設される。
【００４１】
張設された複数の各ワイヤー４間の間隔は、上レール２９、下レール３０に対してランナー３１を移動させることで簡単に調節することができる。
さらに、ワイヤー４に対して容器形装飾物２を交換したり、取り外して清掃したい場合は前記とは逆の手順を行って、容器３からワイヤー４を引き抜き、新たな容器３の取付け具１にワイヤー４を差し込めばよい。
【００４２】
基本的に、以上の構成であるから、この発明の装飾装置５は次の作用効果がある。
張設したワイヤー４に容器形の装飾物５を任意の位置に配置し、かつ、その上下位置、左右間隔を調節可能としてあるので、装飾装置５はその外観そのものがユニークなため、窓際や室内のインテリアなどとして装飾効果が高い。
園芸植物を装飾用物品２８として利用しやすく、また、物品相互間の種々な配置と取り合わせでデザインできる、さらに、装飾用物品２８は園芸植物に限らず種々な物品を利用できるので、装飾効果が高い。
【００４３】
ガイド管６と線条体グリップ７に挿通させたワイヤー４を栓体８の貫通孔１１箇所とワイヤーグリップ７の掴持箇所の２箇所で支持し、かつ、ワイヤー４に張力があることにより容器形装飾物２が傾いたりせず、線条体に取り付けた装飾物２の姿勢を一定に維持できる。
構造が簡単で組み付けやすいので、装飾装置５として、必要な箇所への設置と撤去が簡単である。
【００４４】
図１４は、取付け具１の使用例の一つであって装飾物の例３に相当する。容器形装飾物２の容器３が開口２６を下方として配置され、取付け具１のワイヤーグリップ７は上部に配置されている。操作部１８は上方に露出している。操作部１８は押し込む操作でワイヤー４を掴持している状態を解放するプッシュ型である。
なお、この容器形装飾物２の装飾用物品２８は暖色のＬＥＤを組み込んだろうそく形のインテリア照明である。
【００４５】
〔装飾装置の例２〕
図１５は装飾装置の例２であり、枠形のフレーム３９を備えたことを特徴としている。フレーム３９は、アルミ合金の形材からなる上枠４０、下枠４１、および左右の縦枠４２，４３を備えた矩形である。上枠４０に上レール２９が、また、下枠４１に下レール３０がそれぞれ固定されている。他の構成は実施例１と同様であって、上下のレール２９、３０の間に複数本のワイヤー４が張設されている。上下のレール２９，３０はランナー３１を備えたカーテンレール型である。
【００４６】
なお、装飾装置の例２において容器形装飾物２は容器３が開口を下方としてワイヤー４に取り付けられており、容器３の外形も様々なものとしている。この場合、装飾用物品２８は、照明器具を想定しており、ＬＥＤなど各種の光源による照明器具を容器３内部の空間に収容することができる。単に光源としてだけでなく、前記のようにろうそく形やミラーボール的な物を内部に収容して装飾の趣を変えることができる。
装飾装置の例２の構造は、フレーム３９を有するので、上レール２９、下レール３０を取り付けにくい箇所へ嵌め込み式に取り付けたり、室内でつい立てや間仕切り式に配置したりすることができる。
【００４７】
以上、実施例や使用例について説明したが、発明の趣旨を変えることなく、他にも種々の実施形態が可能である。
線条体は、ワイヤーの他にケーブル、ひも、針金などを包含する。ワイヤー４は、この例１においてφ０．８であるが、φ１．５からφ０．５程度のものが好ましく、ナイロンコーティングのないものでもよい。
上レール２９と下レール３０は市販のカーテンレールそのものを利用できることもある。
容器形装飾物２は１本のワイヤー４に複数個を取り付けることがある。
【００４８】
容器３はアクリル製の他に、ガラス、金属、セラミック、木材、網あるいはかごなど種々の素材で構成することができる。また、透明、不透明、あるいは質感を備えたものとできる。
ガイド管６もアクリルの他に、金属など剛性と靭性（要するに壊れにくい）素材で構成することができる。
ガイド管６の長さは容器３の深さ程度とするのが容器形装飾物２の姿勢を張設されたワイヤー４で維持するのに好ましいが、容器形装飾物２の姿勢を維持できる範囲で所定の長さであればよい。
【００４９】
ガイド管６は下端を容器３の底部に固定するが、固定の手段は実施例１の例に限らず、容器３にガイド管６の下端が固定され、また、その個所にワイヤーグリップ７が取り付けられて、双方のワイヤー挿通孔９が連通されれば目的を達成できる。
容器３に収容する装飾用物品２８は、園芸植物や照明器具に限らず、水を入れて生け花をさしたり、色水だけを入れてみたり、あるいはカタツムリやヤモリのような小動物を入れたりする。なお、メダカなどを飼育する水槽として使用することもできるが、ある程度大きな容器３が必要な場合は、使用例５や使用例６（図８）のように容器３を横長にしてその内部に複数本の取付け具１を固定して重量と傾きなどに対処する。
【００５０】
使用例１（図５）では、ブッシュ２４を採用しているが、容器３に液体を入れる場合を想定してのことであり、液漏れの心配がない場合は必ずしも必要ない。
ガイド管６に栓体８を設けているが張設されたワイヤー４に対して容器形装飾物２がある程度傾いてもよい場合には必要がない。また、ガイド管６内部のガイド駒２０は、ガイド管６の下部に一体に成形されてもよい。
【００５１】
容器３に対する装飾用物品２８の収容は、物品にもよるが、ワイヤー４を取り付ける前でもよいし、容器形装飾物２にワイヤー４を挿通し、ワイヤー４を張設したのちであってもよい。
ワイヤー４に対する容器３の位置決めにワイヤーグリップ７を採用しているが、位置決めのための機構は、図示したものに限らず、ワイヤーに対して容器３を位置決めできる周知の構造であってもよい。
装飾装置５の例１、例２ではワイヤー４の張設方向が上下であるが、これに限らない。
【符号の説明】
【００５２】
１  取付け具
２  容器形装飾物
３  容器
４  ワイヤー（線条体）
５  装飾装置
６  ガイド管
７  ワイヤーグリップ
８  栓体
９  ワイヤー挿通孔
１０  雌ねじ部
【００５３】
１１  ワイヤー貫通孔
１２  本体部
１３  グリップ機構
１４  雄ねじ部
１５  くさび
１６  鋼球
１７  スプリング
１８  操作部
１９  逆円錐状凹部
２０  ガイド駒
【００５４】
２１  取付け部材
２２  底部
２３  装着孔
２４  ブッシュ
２５  パネル形装飾物
２６  （容器の）開口
２７  培養土
２８  装飾用物品
２９  上レール
３０  下レール
【００５５】
３１  ランナー
３２  フック部材
３３  フック付きばね
３４  フック
３５  ワイヤーグリップ機構
３６  操作部
３７  音源再生装置
３８  携帯操作具
３９  フレーム
４０  上枠
【００５６】
４１  下枠
４２  左縦枠
４３  右縦枠
４４  下枠
４５  左縦枠
４６  右縦枠
【図１】
2017217876.tif 000003
【図２】
2017217876.tif 000004
【図３】
2017217876.tif 000005
【図４】
2017217876.tif 000006
【図５】
2017217876.tif 000007
【図６】
2017217876.tif 000008
【図７】
2017217876.tif 000009
【図８】
2017217876.tif 000010
【図９】
2017217876.tif 000011
【図１０】
2017217876.tif 000012
【図１１】
2017217876.tif 000013
【図１２】
2017217876.tif 000014
【図１３】
2017217876.tif 000015
【図１４】
2017217876.tif 000016
【図１５】
2017217876.tif 000017